(57)【特許請求の範囲】
【請求項１】
コンパクト容器のスポンジ収納部の壁面に設けられる通気孔であって、壁面の内面及び外面における異なる位相位置にそれぞれ凹部を設けると共に、壁面の内面から設けた内側凹部の内奥部と壁面の外側から設けた外側凹部の内奥部を相互に連通させて段差状の通路を構成したことを特徴とするコンパクト容器の通気孔。
【請求項２】
外側凹部に対応する凸部を壁面の内面に設けたことを特徴とする請求項１記載のコンパクト容器の通気孔。
【請求項３】
内側凹部の一部に重合させて外側凹部を設けたことを特徴とする請求項１又は２に記載のコンパクト容器の通気孔。
【請求項４】
内側凹部及び外側凹部を壁面に対して同一方向に傾斜させて両凹部の内奥部の一部を壁面と平行な投影面内で重合させたことを特徴とする請求項１又は２に記載のコンパクト容器の通気孔。
【請求項５】
内側凹部の内奥端を外側凹部との連通部より外面側に位置させたことを特徴とする請求項１、２又は４のいずれかに記載のコンパクト容器の通気孔。
【発明の詳細な説明】
【０００１】
【産業上の利用分野】
この発明は、コンパクト容器の通気孔に関し、特に、外観性を損なうことなく高い通気性を確保出来ると共に、粉もれ防止機能に優れた通気孔に関する。
【０００２】
【従来の技術】
両用コンパクト等に用いられるコンパクト容器において、従来ではスポンジ収納部の壁面に貫通孔若しくは貫通スリットを設けていた。このような貫通孔又は貫通スリットによる通気孔を設けた場合は、著しく多数個の貫通孔又は貫通スリットを設けて通気性を確保する必要性がある為に外観性が低下すると共に、貫通孔又は貫通スリットを透して容器の内部が視認され易くなってしまい、又は通気孔からの粉もれが生じやすいという欠点があった。
【０００３】
【発明が解決しようとする課題】
この発明は、特に外観性を損なうことなく高い通気性を確保出来ると共に、粉もれ防止機能に優れた通気孔を提供せんとするものである。
【０００４】
【課題を解決するための手段】
上記課題を解決する為にこの発明が採った手段は、コンパクト容器のスポンジ収納部の壁面の内面及び外面における異なる位相位置にそれぞれ凹部を設けると共に、壁面の内面から設けた内側凹部の内奥部と壁面の外面から設けた外側凹部の内奥部を相互に連通させて段差状の通路を構成したことを特徴とする。
【０００５】
又この発明は、内側凹部の一部に重合させて外側凹部を設けたことを特徴とする。
【０００６】
更にこの発明は、内側凹部及び外側凹部を壁面に対して同一方向に傾斜させて両凹部の内奥部の一部を壁面と平行な投影面内で重合させたことを特徴とする。
【０００７】
更にこの発明は、内側凹部の内奥端を外側凹部との連通部より外面側に位置させたことを特徴とする。
【０００８】
【作用】
スポンジ収納部の壁面に設けられる通気孔を段差状の通路で構成している為、通気孔にブラインド効果が与えられる。従って、凹部の開口部を広くして通気性を確保した場合にも通気孔から内部が視認され難くなって容器の外観性が高くなる。又、段差通路で通気孔を構成している為に、粉もれ防止機能が高くなる。
【０００９】
更に、内側凹部の一部に重合させて外側凹部を設けた場合は、両凹部を形成することによって段差状の通路が自動的に形成される為、容器の成形が容易化される。
【００１０】
更に、外側凹部に対応する凸部を壁面の内面に設けた場合は、この凸部による持ち上げ作用でスポンジが浮上支持される為に通気性がより高くなると共に、凸部を設けた分だけ壁面の肉厚を薄くして容器を軽量化出来る。
【００１１】
更に、内側凹部と外側凹部を同一方向に傾斜させて両凹部の内奥部の一部を壁面と平行は投影面内で重合させた場合は、両凹部の開口部の位相をずらせることが出来る為に通気孔のブラインド効果がより高くなる。
【００１２】
更に内側凹部の内奥端を外側凹部との連通部より外面側に位置させた場合は、内側凹部と連通部の接続部にも段差が形成される為に、内側凹部に侵入した粉等が外側凹部に侵入し難くなり、粉もれ防止効果がより高くなる。
【００１３】
【発明の効果】
この発明にかかるコンパクト容器の通気孔によれば、コンパクト容器の外観性を損なうことなくスポンジ収納部の通気性を高く出来ると共に、粉もれ防止機能が高くなる。
【００１４】
【実施例】
以下に図を参照しつつ、この発明の好ましい実施例を詳細に説明する。図１はこの発明にかかる通気孔を備えたコンパクト容器の具体例を示す断面図であり、蓋（１）を備えた容器本体（２）には化粧料（３）とスポンジ（４）を収納する。（５）は化粧料（３）を収容する皿、（６）は皿（５）の蓋、（７）は鏡であり、スポンジ（４）を収納したスポンジ収納部（８）の底壁（９）及び外側壁（１０）にそれぞれ通気孔（１１）を設ける。
【００１５】
通気孔（１１）は、図２〜図５に示した様にスポンジ収納部（８）の底壁（９）の内面に設けた内側凹部（１２）と、底壁（９）の外面に設けた外側凹部（１３）と、両凹部（１２）（１３）の内奥部を相互に連通させる連通部（１４）による段差状の通路で構成される。
【００１６】
又、内側凹部（１２）は底壁（９）の内面を成形する図示しない内側金型に設けた凸部により形成され、外側凹部（１３）は底壁（９）の外面を成形する外側金型に設けた凸部により成形される。そして、内側凹部（１２）を成形する凸部と外側凹部（１３）を成形する凸部を隣接させたことにより、底壁（９）を成形すべく内側と外側の金型をセットすると、両型の凸部の先端の側面が重合して連通部（１４）が自動的に形成されるようにしている。尚、スポンジ収納部（８）の外側壁（１０）にも底壁（９）に設けた通気孔（１１）と同一構造の通気孔（１１）を設けている。
【００１７】
即ち、通気孔（１１）を段差状の通路で構成している為、通気孔（１１）にブラインド効果が与えられる。従って、内側凹部（１２）及び外側凹部（１３）の開口部を広くして通気性を確保した場合にも通気孔（１１）から内部が視認され難くなって容器の外観性が高くなる。又、段差状の通路で通気孔（１１）を構成している為に、粉もれ防止機能が高くなる。
【００１８】
図６は外側凹部（１３）を内側凹部（１２）の一部に重合させて設けた変形例を示したものである。このように両凹部（１２）（１３）の一部を相互に重合させた場合は、金型の合わせ構成の為に必要とされる空間（ａ）（一般には０．５ｍｍ以下）を容易に確保出来るが、図７に示した変形例のように開口部の幅より内奥部の幅を狭くした断面台形状の凹部（１２）（１３）を設けて金型の合わせ構成に必要とされる空間（ａ）を確保すると共に、凹部（１２）（１３）の開口縁と底壁（９）の表面とがなすエッジが鈍角になるようにして容器の手ざわり感を高くすることが出来る。
【００１９】
図８は外側凹部(13)に対応する凸部(15)を底壁(９)の内面に設けた実施例を示したものである。このように外側凹部(13)に対応する凸部(15)を底壁(９)の内面に設けた場合は、この凸部(15)による持ち上げ作用でスポンジが浮上支持される為に内側凹部(12)の開口面積が実質的に拡大して通気孔(11)の通気性がより高くなると共に、凸部(15)の高さ(ｂ)に相当する分だけ底壁(９)の肉厚(ｃ)を薄く出来る為、容器を軽量化出来る。
【００２０】
図９は内側凹部（１２）及び外側凹部（１３）を底壁（９）に対して同一方向に傾斜させて両凹部（１２）（１３）の内奥部の一部を底壁（９）と平行な投影面内で重合させたものである。従って、この実施例による場合は凹部（１２）（１３）の傾斜分だけオーバラップ部（ｄ）を設けることが出来る為、通気孔（１１）のブラインド効果を高く出来る利点がある。
【００２１】
図１０は内側凹部（１２）の内奥端を外側凹部（１３）との連通部（１４）より外面側に位置させた実施例を示している。このように内側凹部（１２）の内奥端を外側凹部（１３）との連通部（１４）より外面側に位置させた場合は、内側凹部（１２）と連通部（１４）の接続部にも段差（１６）が形成される為、内側凹部（１２）に侵入した粉等が外側凹部（１３）に侵入し難くなり、粉もれ防止効果がより高くなる利点がある。
【００２２】
図１１及び図１２は上記構成の複合型の通気孔（１１）を示したものであり、この変形例においては内側凹部（１２）と外側凹部（１３）をそれぞれ断面台形状の凹部で構成しつつ、外側凹部（１３）に対応する凸部（１５）を底壁（９）の内面に設けたものである。従って、この実施例による場合は、通気孔（１１）による通気性が確保されると共に、凹部（１２）（１３）の開口縁と底壁（９）の表面とがなすエッジが鈍角になる為に容器の手ざわり感が高くなる利点がある。
【００２３】
尚、実施例ではスポンジ収納部（８）の底壁（９）及び外側壁（１０）に通気孔（１１）を設けているが、いずれか一方の壁面のみに通気孔（１１）を設けたものであってもよい。又実施例では両用コンパクトに用いられるコンパクト容器にこの発明を適用しているが、ＦＤ用コンパクト等に適用することも出来る。
【図面の簡単な説明】
【図１】この発明にかかる通気孔を備えたコンパクト容器の具体例を示す断面図
【図２】図１のスポンジ収納部の平面図
【図３】図２のＡ−Ａ断面図
【図４】図１の通気孔の拡大平面図
【図５】図４のＢ−Ｂ断面図
【図６】通気孔の変形例を示す断面図
【図７】通気孔の変形例を示す断面図
【図８】通気孔の変形例を示す断面図
【図９】通気孔の変形例を示す断面図
【図１０】通気孔の変形例を示す断面図
【図１１】通気孔の変形例を示す拡大平面図
【図１２】図１１のＣ−Ｃ断面図
【符号の説明】
（１）  蓋
（２）  容器本体
（３）  化粧料
（４）  スポンジ
（５）  皿
（６）  蓋
（７）  鏡
（８）  スポンジ収納部
（９）  底壁
（１０）  外側壁
（１１）  通気孔
（１２）  内側凹部
（１３）  外側凹部
（１４）  連通部
（１５）  凸部
（１６）  段差
【図１】
0003570695.tif 000002
【図２】
0003570695.tif 000003
【図３】
0003570695.tif 000004
【図４】
0003570695.tif 000005
【図５】
0003570695.tif 000006
【図６】
0003570695.tif 000007
【図７】
0003570695.tif 000008
【図８】
0003570695.tif 000009
【図９】
0003570695.tif 000010
【図１０】
0003570695.tif 000011
【図１１】
0003570695.tif 000012
【図１２】
0003570695.tif 000013